(57)【要約】      （修正有）【課題】吸湿材料の粉の飛散を防止できる調湿体を提供する。【解決手段】調湿体１は、調湿能力を有する吸湿材料（シリカゲル４）により形成された調湿シート２と、調湿シート２の全体を覆うカバー３とを備え、カバー３には、吸湿材料による湿気吸収及び湿気放出のための孔１６が形成される。調湿シート２は、上記吸湿材料をバインダー５により結合して板状に形成した調湿板体６と、調湿板体を両面から挟み込む保護シート７；８とにより形成され、保護シート７；８には、吸湿材料による湿気吸収及び湿気放出のための孔１５が形成される。【選択図】図１
0003132104.tif 000002
【実用新案登録請求の範囲】
【請求項１】
調湿能力を有する吸湿材料により形成された調湿シートと、調湿シートの全体を覆うカバーとを備え、カバーには、吸湿材料による湿気吸収及び湿気放出のための孔が形成されたことを特徴とする調湿体。
【請求項２】
調湿シートは、上記吸湿材料をバインダーにより結合して板状に形成した調湿板体と、調湿板体を両面から挟み込む保護シートとにより形成され、保護シートには、吸湿材料による湿気吸収及び湿気放出のための孔が形成されたことを特徴とする請求項１に記載の調湿体。
【請求項３】
吸湿材料がシリカゲルであることを特徴とする請求項１又は請求項２に記載の調湿体。
【考案の詳細な説明】
【技術分野】
【０００１】
本考案は、吸湿材料の粉の飛散を防止可能な調湿体に関する。
【背景技術】
【０００２】
高湿下で多量の湿気を吸収し、低湿下では徐々に湿気を放出するという調湿能力を有したＢ型シリカゲルにより形成された調湿体が知られている（例えば、特許文献１参照）。
【特許文献１】特開２００５−１２７８８９号公報
【考案の開示】
【考案が解決しようとする課題】
【０００３】
しかしながら、上記調湿体は、吸湿材料としてのＢ型シリカゲルの主成分である二酸化珪素の粒子をバインダーで結合してシート状に形成されたものであるため、二酸化珪素の粒子が粉となって飛散する。そのため、ビデオテープやカメラフィルム、ＤＶＤやＣＤなどの記録媒体を収納した記録媒体収納ケース内に設置して記録媒体収納ケース内の湿度を調整するための調湿体として用いた場合、粉が記録媒体に付着して記録媒体を傷付けてしまうので、記録媒体を記録媒体収納ケース内に入れて保存する際の調湿体として用いるには不向きであった。
本考案は上記課題に鑑みてなされたものであり、吸湿材料の粉の飛散を防止できる調湿体を提供するものである。
【課題を解決するための手段】
【０００４】
本考案の調湿体は、調湿能力を有する吸湿材料により形成された調湿シートと、調湿シートの全体を覆うカバーとを備え、カバーには、吸湿材料による湿気吸収及び湿気放出のための孔が形成されたことを特徴とする。
調湿シートは、上記吸湿材料をバインダーにより結合して板状に形成した調湿板体と、調湿板体を両面から挟み込む保護シートとにより形成され、保護シートには、吸湿材料による湿気吸収及び湿気放出のための孔が形成されたことも特徴とする。
吸湿材料がシリカゲルであることも特徴とする。
【考案の効果】
【０００５】
本考案の調湿体によれば、カバーを備えたことによって、吸湿材料の粉の飛散を防止できるので、粉を嫌う物を保存する際の調湿体として用いることができる。
調湿シートが、調湿板体と、調湿板体を両面から挟み込む保護シートとにより形成されたことにより、吸湿材料の粉の飛散防止効果が高まる。
吸湿材料としてシリカゲルを用いたので、吸湿能力及び調湿能力の高い調湿体を得ることができる。
【考案を実施するための最良の形態】
【０００６】
図１及び図２は本考案の最良の形態を示し、図１（ａ）は調湿体を分解して示し、図１（ｂ）は調湿体の外観を示し、図２は調湿体の断面を示し、図３はビデオテープ収納ケース内への設置用の調湿体を示す。
【０００７】
図１を参照し、調湿体を説明する。
調湿体１は、調湿シート２とカバー３とを備える。
調湿シート２は、調湿能力を有する吸湿材料としてのシリカゲル４をバインダー５により結合して板状に形成した調湿板体６と、調湿板体６を両面から挟み込む上下の保護シート７；８とにより形成される。
【０００８】
調湿能力を有するシリカゲル４とは、二酸化珪素の粒子を主成分としたシリカの一次粒子が結合されて、平均細孔径が７nm程度に形成された無定形の多孔質物質であり、Ｂ型シリカゲルと呼ばれるものである。当該シリカゲル４は、湿気を吸収する吸湿能力及び湿気を放出する放湿能力、即ち、調湿能力を有し、当該シリカゲル４が設置される場所の周囲の湿度を恒湿範囲に保つ。シリカゲル４は、吸湿能力及び調湿能力が高いので、吸湿材料としてシリカゲル４を用いたことにより、吸湿能力及び調湿能力の高い調湿体１が得られる。最良の形態では、周囲の湿度を４０％〜６０％程度に保つシリカゲル４を用いた。
【０００９】
調湿板体６は、シリカゲル４にバインダー５としての例えば熱可塑性樹脂粉体を配合して水を加え、スラリー状態で均一に混合した後に平板状に成形し、水分を除去し、両面から加熱圧着して形成したものである。そして、この調湿板体６の両面に、シリカゲル４による湿気吸収及び湿気放出のための径３０ミクロン程度の微細孔１５が形成された保護シート７；８を貼り付けることによって、調湿シート２が得られる。
保護シート７；８としては、紙、天然繊維、不織布、熱可塑性樹脂フィルムを延伸、圧延して割繊した割織布、発泡シート、アルミニウム箔などに開孔した通気性の金属箔等が用いられる。
【００１０】
そして、調湿シート２の両面に、調湿シート２よりも大きい上下のカバーシート９；１０を設け、図２に示すように、調湿シート２の周縁１１を取り囲むように上下のカバーシート９；１０の周縁１２；１３同士が互いに熱融着されることによって、調湿シート２の全体が上下のカバーシート９；１０からなるカバー３によって覆われたシート状の調湿体１が得られる。即ち、調湿シート２の周縁１１は保護シート７；８で覆われていないので、調湿シート２の周縁１１を上下のカバーシート９；１０からなるカバー３で覆うことにより、調湿シート２の周縁１１から調湿板体６の粉がカバー３の外に漏れないようにした調湿体１が得られる。
カバーシート９；１０としては、シリカゲル４による湿気吸収及び湿気放出のための径３０ミクロン程度の微細孔１６が形成されたＰＥＴフィルムのような合成樹脂シートが用いられる。
【００１１】
最良の形態によるシート状の調湿体１によれば、カバー３を備えたことによって、調湿板体６からの粉の飛散を防止できるので、粉を嫌う記録媒体のような物を保存する際の調湿体１として用いることができる。
また、調湿シート２が、調湿板体６と、調湿板体６を両面から挟み込む保護シート７；８とにより形成されたことにより、調湿板体６からの粉の飛散防止効果が高まるため、粉を嫌う記録媒体のような物を保存する際に用いる調湿体１として好適な調湿体１を得ることができる。
【００１２】
最良の形態による調湿体１は、記録媒体としてのビデオテープを収納した収納ケース内に設置されたり、記録媒体としての映画フィルムやカメラフィルムを収納した収納ケース内に設置されたり、記録媒体としてのＣＤやＤＶＤを収納した収納ケース内に設置されたり、楽器を収納した収納ケース内に設置されたりすることによって、記録媒体などの収納物が粉で傷つくことなく、収納ケース内の湿度が４０％〜６０％程度に保たれるので、収納物の状態が良好に維持される。
【００１３】
ビデオテープの収納ケース内に入れて使用する調湿体１としては、例えば、図３に示すような形状に形成されたものを用いればよい。つまり、ビデオテープには、ビデオテープの巻き取りローラを回転させるための回転軸係合孔が設けられ、収納ケースにはこの回転軸係合孔が係合する係合突起が設けられるが、この係合突起を貫通させるための孔２１及び収納ケース内の隆起部をよけるための切欠部２２を形成した調湿体１を用いればよい。このような調湿体１を用いれば、収納ケースのケース底形状に適合した大きさの調湿体１とできて十分な調湿能力を発揮でき、かつ、収納ケースの蓋を完全に閉じることができるようになるので、収納ケース内のビデオテープの状態を良好に維持できる。
【産業上の利用可能性】
【００１４】
保護シート７；８を用いることなく、調湿板体６をカバー３で覆って形成された調湿体１であってもよい。
吸湿材料としては、珪素土、ゼオライト、炭などの調湿能力を有する吸湿材料を使用してもよい。
【図面の簡単な説明】
【００１５】
【図１】（ａ）は調湿体の分解斜視図、（ｂ）は調湿体の外観斜視図（最良の形態）。
【図２】調湿体の断面図（最良の形態）。
【図３】ビデオテープ収納ケース内への設置用の調湿体を示す斜視図（最良の形態）。
【符号の説明】
【００１６】
１  調湿体、２  調湿シート、３  カバー、４  シリカゲル（吸湿材料）、
５  バインダー、６  調湿板体、７；８  保護シート、１５；１６  孔。
【図１】
0003132104.tif 000003
【図２】
0003132104.tif 000004
【図３】
0003132104.tif 000005